(57)【要約】【課題】乗物用シートを跳ね上げ状態から操作部材の解除操作によって落とし込む際のレッグの展開し忘れを適切に防止できるようにすること。【解決手段】シートクッション３をフロアＦ上から跳ね上げてロックすることのできるチップアップ機構５を備えたシート１であって、シートクッション３に折り畳み可能に設けられてその展開状態でフロアＦ上に当てられてシートクッション３を支えた状態となるレッグ６と、シートクッション３の跳ね上げ位置でのロックを解除するための操作部材７と、を有し、レッグ６がシートクッション３に折り畳まれることで操作部材７を覆った状態となる構成とされているものである。【選択図】図３
2018090142.tif 000002
【特許請求の範囲】
【請求項１】
シート本体をフロア上から跳ね上げてロックすることのできる跳ね上げ機構を備えた乗物用シートであって、
前記シート本体に折り畳み可能に設けられてその展開状態で前記フロア上に当てられて前記シート本体を支持するレッグと、
前記シート本体の跳ね上げ位置でのロックを解除するための操作部材と、を有し、
前記レッグが前記シート本体に折り畳まれることで前記操作部材を覆った状態となる構成とされている乗物用シート。
【請求項２】
請求項１に記載の乗物用シートであって、
前記レッグが前記操作部材の手が掛けられる領域を覆う構成とされている乗物用シート。
【請求項３】
請求項１又は請求項２に記載の乗物用シートであって、
前記操作部材が前記シート本体に折り畳まれた前記レッグによって覆われる被覆領域と覆われずに外部に露出する非被覆領域とを有する乗物用シート。
【請求項４】
請求項１から請求項３のいずれかに記載の乗物用シートであって、
前記レッグが前記シート本体に折り畳まれるヒンジ軸の軸方向の端領域で前記操作部材を覆う構成とされている乗物用シート。
【請求項５】
請求項１から請求項４のいずれかに記載の乗物用シートであって、
前記操作部材が前記シート本体に折り畳まれた前記レッグに向かって張り出す形に操作される構成とされており、
前記レッグが前記操作部材の操作される移動軌跡と重なる位置まで前記シート本体に折り畳まれる構成とされている乗物用シート。
【発明の詳細な説明】
【技術分野】
【０００１】
本発明は、乗物用シートに関する。詳しくは、シート本体をフロア上から跳ね上げてロックすることのできる跳ね上げ機構を備えた乗物用シートに関する。
【背景技術】
【０００２】
従来、乗物用シートにおいて、シートクッションをシートバック側に向けて跳ね上げ可能なチップアップ機能を備えた構成が知られている（特許文献１）。上記跳ね上げに際しては、シートクッションからフロアに向かって延び出しているレッグを折り畳んでコンパクトに格納することができるようになっている。上記跳ね上げられたシートクッションは、その底面部に付設されたレバーを操作することにより、跳ね上げ位置での固定状態が解かれてフロア上に落とし込むことができる状態へと切り換えられるようになっている。
【先行技術文献】
【特許文献】
【０００３】
【特許文献１】特開２００７−１８２１５３号公報
【発明の概要】
【発明が解決しようとする課題】
【０００４】
上記従来技術では、シートクッションをレバーの操作によって跳ね上げ位置から落とし込む際、レッグを展開し忘れることで不適切な落とし込み状態を招くおそれがある。本発明は、上記問題を解決するものとして創案されたものであって、本発明が解決しようとする課題は、乗物用シートを跳ね上げ状態から操作部材の解除操作によって落とし込む際のレッグの展開し忘れを適切に防止できるようにすることにある。
【課題を解決するための手段】
【０００５】
上記課題を解決するために、本発明の乗物用シートは次の手段をとる。
【０００６】
第１の発明は、シート本体をフロア上から跳ね上げてロックすることのできる跳ね上げ機構を備えた乗物用シートであって、シート本体に折り畳み可能に設けられてその展開状態でフロア上に当てられてシート本体を支持するレッグと、シート本体の跳ね上げ位置でのロックを解除するための操作部材と、を有し、レッグがシート本体に折り畳まれることで操作部材を覆った状態となる構成とされているものである。
【０００７】
この第１の発明によれば、シート本体の跳ね上げ位置でのロックを解除する操作部材が、折り畳まれたレッグによって覆われるようになっていることで、レッグを展開することなく操作部材が先に誤って操作されることが防止されるようになる。したがって、レッグの展開し忘れを適切に防止することができる。
【０００８】
第２の発明は、上述した第１の発明において、次の構成とされているものである。レッグが操作部材の手が掛けられる領域を覆う構成とされている。
【０００９】
この第２の発明によれば、操作部材に手を掛ける動きがレッグによって阻まれるようになるため、レッグの展開し忘れをより適切に防止することができる。
【００１０】
第３の発明は、上述した第１又は第２の発明において、次の構成とされているものである。操作部材がシート本体に折り畳まれたレッグによって覆われる被覆領域と覆われずに外部に露出する非被覆領域とを有する。
【００１１】
この第３の発明によれば、操作部材がレッグによって覆われている状態を、レッグの非被覆領域が外部に露出している状態によってより簡便に認識できるようになるため、レッグの展開し忘れをより適切に防止することができる。
【００１２】
第４の発明は、上述した第１から第３のいずれかの発明において、次の構成とされているものである。レッグがシート本体に折り畳まれるヒンジ軸の軸方向の端領域で操作部材を覆う構成とされている。
【００１３】
この第４の発明によれば、レッグを折り畳む際に掴まれることの少ない端領域で操作部材を覆うことで、レッグを折り畳む際にレッグと操作部材との間に手を挟みにくくなるようにすることができる。
【００１４】
第５の発明は、上述した第１から第４のいずれかの発明において、次の構成とされているものである。操作部材がシート本体に折り畳まれたレッグに向かって張り出す形に操作される構成とされている。レッグが操作部材の操作される移動軌跡と重なる位置までシート本体に折り畳まれる構成とされている。
【００１５】
この第５の発明によれば、折り畳まれたレッグによって操作部材の操作を行いにくくなるように規制することができる。或いは、操作部材を操作方向に動かすことでレッグを展開方向に押し動かして、レッグを先に展開させるべきことを操作者に認識させやすくすることができる。
【図面の簡単な説明】
【００１６】
【図１】実施例１の乗物用シートの概略構成を表した斜視図である。
【図２】シートクッションを跳ね上げた状態を表した斜視図である。
【図３】シートクッションの跳ね上げ位置でレッグを折り畳んだ状態を表した斜視図である。
【図４】図３のIV視拡大図である。
【図５】図１のV視拡大図である。
【図６】操作レバーによる跳ね上げ機構のロック解除の操作構造を表した模式図である。
【図７】シートクッションの跳ね上げにより跳ね上げ機構がロック状態となる様子を表した模式図である。
【図８】レッグのターンオーバ式のバネ付勢構造を表した模式図である。
【発明を実施するための形態】
【００１７】
以下に、本発明を実施するための形態について、図面を用いて説明する。
【実施例１】
【００１８】
《シート１の概略構成について》
始めに、実施例１のシート１（乗物用シート）の構成について、図１〜図８を用いて説明する。なお、以下の説明において、前後上下左右等の各方向を示す場合には、各図中に示されたそれぞれの方向を指すものとする。本実施例のシート１は、図１に示すように、自動車の後部側座席として構成されており、着座乗員の背凭れ部となるシートバック２と、着座部となるシートクッション３と、を備えた構成とされている。上記シート１は、同列に３人掛け可能な幅広タイプのベンチシートとして構成されている。
【００１９】
具体的には、上記シート１は、上述したシートバック２が同列に３人掛け可能なひと続きとなる幅広な形状とされ、シートクッション３が左右で６：４分割されたセミセパレート型の構成とされている。上記シートクッション３は、その左右で２分割されたそれぞれが独立して動くことのできる構成とされているが、以下ではこれらを代表して６：４分割された幅広側となる２人掛け可能な左側部分の構成について詳しく説明していくこととする。
【００２０】
上述したシートバック２及びシートクッション３は、それぞれ、車両のフロアＦ上に設置された左右一対のベースブラケット４に対してそれらの両サイド部が連結されて支持された状態として設けられている。具体的には、上述したシートバック２は、その左右両サイドの下端部が、各側のベースブラケット４に対して、それぞれ、不図示のリクライニング調節機能を備えたリクライナを介して背凭れ角度の調節が行える状態に連結された状態として設けられている。
【００２１】
また、シートクッション３は、その左右両サイドの後端部が、各側のベースブラケット４に対して、それぞれ、後述するチップアップ機構５を構成するヒンジ軸５Ａを介して起倒回転可能にヒンジ連結された状態として設けられている。上記連結により、シートクッション３は、図１に示すようにフロアＦ上に倒し込まれた着座使用可能な使用位置と、図２に示すようにシートバック２の前部に略重なる位置まで後側に跳ね上げられた着座使用不能な跳上位置と、の間で起倒回転することができる状態とされている。ここで、上述したシートクッション３が本発明の「シート本体」に相当し、チップアップ機構５が本発明の「跳ね上げ機構」に相当する。
【００２２】
上述したシートクッション３は、図１に示すように、通常、フロアＦ上の使用位置に倒し込まれた状態とされている時には、上述したチップアップ機構５がシートクッション３の起倒回転をロックした状態とされていることにより、同使用位置の状態に保持された状態とされている。この状態では、シートクッション３は、その前部が、底面部からフロアＦ側に向かって垂下する形に張り出す立板状のレッグ６によって、フロアＦ上に下支えされた状態として保持されるようになっている。詳しくは、上記レッグ６は、その中央下端部がフロアＦ上に設置された不図示の保持バネに上側から嵌り込んで弾性的にガタ抑えされた状態となってフロアＦ上に下支えされた状態として保持されるようになっている。
【００２３】
上述したシートクッション３は、上述した使用位置の状態から、使用者がその底面部に配設された操作部材７の操作レバー７Ａに手を掛けて同操作レバー７Ａを前下側に引き起こすように操作することにより、上述したチップアップ機構５による使用位置でのロック状態が解除されるようになっている。そして、上記解除操作後に、使用者がシートクッション３を後側へと跳ね上げることにより、シートクッション３が図２に示すようにシートバック２の前部に略重ねられた跳上位置の状態へと切り換えられる。その際、チップアップ機構５は、シートクッション３が上記図１に示す使用位置の状態から少しでも後側へと跳ね上げられれば、操作レバー７Ａの操作が途中で戻されてもロック状態には戻されないようになっている。したがって、シートクッション３の跳ね上げ途中で操作レバー７Ａの操作を途中でやめても、シートクッション３を図２に示す跳上位置まで一気に跳ね上げることができる。
【００２４】
そして、上述したシートクッション３は、上述した跳上位置へと跳ね上げられたところで操作レバー７Ａの操作が戻されることにより、チップアップ機構５が付勢によりロック作動して、上記跳上位置にロックされた状態となる。その際、上述したシートクッション３の底面部から起立状に張り出すレッグ６は、張り出し姿勢のまま変えられることなくシートクッション３と共に後側へと跳ね上げられるようになっている。したがって、次に、上記張り出し姿勢のままとなっているレッグ６を図３に示すようにシートクッション３の底面部に畳み込む操作を行う。
【００２５】
ここで、上述したレッグ６は、上述したシートクッション３の底面部に対して、同底面部に形成された凹部３Ａ内にてその立板形状の一辺部分がシート幅方向を向くヒンジ軸６Ｂにより起倒回転可能にヒンジ連結された状態として設けられている。上記連結により、レッグ６は、図２に示すようにシートクッション３の底面部から起立状に張り出す展開位置と、図３に示すようにシートクッション３の底面部に形成された凹部３Ａ内に収められるように畳み込まれた収納位置と、の間で起倒回転することができる状態とされている。
【００２６】
上述したレッグ６は、図８に示すように、上述したシートクッション３との間に引張バネ６Ｄが掛着されており、同引張バネ６Ｄによって上述した展開位置と収納位置とにそれぞれ付勢方向が切り換えられて掛けられるようになっている。具体的には、上述した引張バネ６Ｄは、上述したレッグ６とシートクッション３とに対して、レッグ６の展開収納される動きに合わせてレッグ６の回転中心であるヒンジ軸６Ｂを跨って移動する位置に掛着されている。
【００２７】
上記掛着により、引張バネ６Ｄは、上述したレッグ６が展開位置から収納位置へと畳み込まれる時には、同引張バネ６Ｄがヒンジ軸６Ｂを越えるまではレッグ６に展開方向の付勢力を掛けるが、引張バネ６Ｄがヒンジ軸６Ｂを越えた先からはレッグ６に収納方向の付勢力を掛ける状態へと切り換えられるようになっている。したがって、レッグ６が収納位置に畳み込まれた時には、レッグ６は引張バネ６Ｄの付勢力によって収納位置に押さえ付けられた状態として保持されるようになる。
【００２８】
また、引張バネ６Ｄは、上述したレッグ６が収納位置から展開位置へと起こし上げられる時には、同引張バネ６Ｄがヒンジ軸６Ｂを越えるまではレッグ６に収納方向の付勢力を掛けるが、引張バネ６Ｄがヒンジ軸６Ｂを越えた先からはレッグ６に展開方向の付勢力を掛ける状態へと切り換えられるようになっている。したがって、レッグ６が展開位置に起こし上げられた時には、レッグ６は引張バネ６Ｄの付勢力によって展開位置に押さえ付けられた状態として保持されるようになる。
【００２９】
上記構成のレッグ６は、図３にて前述したように、シートクッション３の底面部に畳み込まれることにより、同底面部に形成された凹部３Ａ内に収められた状態として保持される。以上の操作により、レッグ６をシートクッション３の底面部にコンパクトに畳み込んだ状態として、シートクッション３をシートバック２と重ねる跳上位置まで跳ね上げてロックした状態とすることができる。
【００３０】
次に、上記跳ね上げられたシートクッション３をフロアＦ上の使用位置へと戻すには、先ず、レッグ６をシートクッション３の底面部から起こし上げて展開位置の状態へと切り換える。これにより、図２に示すように、上記起こし上げられたレッグ６が展開位置に起こし上げられたところで位置保持されて自立した状態となる。次に、シートクッション３の底面部に設けられた操作部材７の操作レバー７Ａに手を掛けて同操作レバー７Ａを前側に引き起こすように操作する。これにより、上述したチップアップ機構５による跳上位置でのロック状態が解除される。したがって、上記解除操作後に、シートクッション３をフロアＦ上へと倒し込むことにより、シートクッション３が図１に示すようにレッグ６をフロアＦ上に底付きさせた使用位置の状態へと切り換えられる。
【００３１】
その際、チップアップ機構５は、シートクッション３を跳ね上げる時と同じように、シートクッション３が上記図２に示す跳上位置の状態から少しでも前側へと倒し込まれれば、操作レバー７Ａの操作が途中で戻されてもロック状態には戻されないようになっている。したがって、シートクッション３の倒し込み途中で操作レバー７Ａの操作を途中でやめても、シートクッション３を図１に示す使用位置まで一気に倒し込むことができる。そして、上記シートクッション３は、上記使用位置へと倒し込まれた位置で操作レバー７Ａの操作が戻されることにより、チップアップ機構５が付勢によりロック作動して、上記倒し込まれた使用位置にロックされた状態となる。
【００３２】
ところで、図３において前述した、シートクッション３を跳上位置からフロアＦ上へ倒し込む操作を行う際、レッグ６の展開操作を行うことなく操作レバー７Ａが先に操作されることがあると、レッグ６が折り畳まれた状態のままシートクッション３がフロアＦ上の使用位置へと倒し込まれることとなるため問題である。そこで、このような不適切な操作が行われることを防止するために、上述した操作レバー７Ａは、図４に示すようにレッグ６が折り畳まれることによってレッグ６によって覆われる位置に配置されていて、レッグ６の展開操作を行わなければその操作を行うことができないように設けられた状態とされている。
【００３３】
《チップアップ機構５の具体的な構成について》
以下、上述したレッグ６及び操作部材７のより具体的な構成について、チップアップ機構５の構成と併せて詳しく説明していく。先ず、図６〜図７を参照しながら、チップアップ機構５の構成について説明する。チップアップ機構５は、シートクッション３の左右各側の後端部を各側のベースブラケット４に対して起倒回転可能にヒンジ連結するヒンジ軸５Ａと、シートクッション３の側部にヒンジ軸５Ｂ１により回転可能にヒンジ連結された操作リンク５Ｂと、を有する。
【００３４】
上述した各ヒンジ軸５Ａは、それぞれ、シート幅方向に軸方向を向けて配設されている。操作リンク５Ｂは、略Ｔ字型のリンク形状とされ、そのＴ字の交差部分がシート幅方向に軸方向を向けるヒンジ軸５Ｂ１によりシートクッション３の側部に回転可能にヒンジ連結された状態とされている。上述した操作リンク５Ｂは、そのＴ字の一端にシート幅方向に突出するロックピン５Ｂ２が取り付けられていると共に、他の一端とシートクッション３との間に引張バネ５Ｂ３が掛着され、残る一端と前述した操作レバー７Ａとの間にケーブル７Ａ２が繋げられた構成とされている。
【００３５】
上記構成の操作リンク５Ｂは、常時は、上述した引張バネ５Ｂ３から掛けられる付勢力によって、図６に示す時計回り方向に回転付勢された状態とされている。上記付勢により、操作リンク５Ｂは、シートクッション３がフロアＦ上の使用位置に倒し込まれた状態にある時には、ロックピン５Ｂ２をベースブラケット４の外周部に形成された第１係止溝４Ａ内に入り込ませた状態として保持されるようになっている。上記ロックピン５Ｂ２の入り込みにより、シートクッション３の跳ね上げ方向の回転が、操作リンク５Ｂのつっかえによって規制された状態として保持されるようになっている。
【００３６】
上述した操作リンク５Ｂは、上述した操作レバー７Ａが操作されることにより、同操作レバー７Ａとの間に繋がれたケーブル７Ａ２を介して上述した引張バネ５Ｂ３の付勢力に抗した図示反時計回り方向に回転操作される。上記操作により、操作リンク５Ｂは、ロックピン５Ｂ２をベースブラケット４の第１係止溝４Ａ内から外し出して、シートクッション３の回転規制状態を解いた状態となる。したがって、次に、シートクッション３を跳上位置まで跳ね上げていくと、操作リンク５Ｂがこの動きに合わせてヒンジ軸５Ｂ１を中心に回転方向に動かされていき、ロックピン５Ｂ２がベースブラケット４の第１係止溝４Ａから回転方向に外れた位置へと動かされていく。
【００３７】
そのため、上記シートクッション３の跳ね上げ途中で操作レバー７Ａの操作が戻されても、操作リンク５Ｂは、上述した引張バネ５Ｂ３の付勢力によってロックピン５Ｂ２がベースブラケット４の第１係止溝４Ａから外れた円弧状に湾曲した外周面上の位置に当てられて、シートクッション３の跳ね上げに伴って同外周面に沿って摺動していく形で移動していくことができるようになっている。そして、上記シートクッション３が図７に示すように跳上位置まで跳ね上げられると、ロックピン５Ｂ２がベースブラケット４の外周部に形成された第２係止溝４Ｂ上の位置へと移される。
【００３８】
したがって、この位置で操作レバー７Ａの操作が戻されることにより、ロックピン５Ｂ２が付勢により上述した第２係止溝４Ｂ内に入り込んで、シートクッション３の回転が操作リンク５Ｂのつっかえにより規制された状態となって保持される。なお、上記ロックピン５Ｂ２を第２係止溝４Ｂから外し出す操作は、上述した操作レバー７Ａが再度操作されることによって行われるが、前出の動きと同じであるため、詳細な説明を省略することとする。
【００３９】
《レッグ６の具体的な構成について》
次に、図１〜図３を参照しながらレッグ６の構成について説明する。レッグ６は、金属製の丸パイプ材が略Ｕ字状の形に折り曲げられて形成されたレッグフレーム６Ａと、レッグフレーム６ＡにそのＵ字形状を表側から覆うように被せ付けられた樹脂製のレッグカバー６Ｃと、レッグ６をシートクッション３に対して回転付勢する引張バネ６Ｄと、を有する。上記レッグ６は、上述したレッグフレーム６ＡのＵ字の各端部が、それぞれ、上述したシートクッション３内の図示しない骨格部に対して、シート幅方向に軸方向を向けるヒンジ軸６Ｂにより回転可能にヒンジ連結された状態として設けられている。上記連結により、レッグ６は、図１〜図２に示すようにシートクッション３の底面部から起立状に張り出す展開位置と、図３に示すようにシートクッション３の底面部に形成された凹部３Ａ内に収められるように畳み込まれた収納位置と、の間で起倒回転することができる状態とされている。なお、引張バネ６Ｄによるレッグ６の付勢構造については前述したため省略することとする。
【００４０】
《操作部材７の具体的な構成について》
次に、図５を参照しながら操作部材７の構成について説明する。操作部材７は、シートクッション３の底面部に設けられた四角枠状のベゼル７Ｂと、同ベゼル７Ｂ内に回転操作可能に組み付けられた操作レバー７Ａと、を有する。上述したベゼル７Ｂは、シートクッション３の底面部に形成された凹部３Ａ内における左前側の端寄りの箇所に面一状に埋め込まれた状態となって設けられている。より詳しくは、上述したベゼル７Ｂは、図３〜図４に示すように、前述したレッグ６が凹部３Ａ内の収納位置に畳まれた状態となる時に、同レッグ６の左側領域によってその左下側の角部領域（非被覆領域Ａ２）を残す大部分の領域（被覆領域Ａ１）が前側から覆われた状態となる位置に設けられている。
【００４１】
操作レバー７Ａは、図５に示すように、上述したベゼル７Ｂに対して、シート幅方向に軸方向を向けるヒンジ軸７Ａ１により回転可能にヒンジ連結された状態として設けられている。上述したヒンジ軸７Ａ１は、上述した操作レバー７Ａの前端部分をベゼル７Ｂの左右両側の各枠辺部分に対して回転可能にヒンジ連結した状態とされている。上記連結により、操作レバー７Ａは、ベゼル７Ｂの四角枠内に面一状に収められた初期位置と、同初期位置からヒンジ軸７Ａ１を中心にベゼル７Ｂの四角枠から飛び出す形に起こし上げられた操作位置（図６〜図７参照）と、の間で起倒回転することができる状態として設けられている。詳しくは、上記操作レバー７Ａは、その後端部分が使用者によって手が掛けられて操作される取っ手７Ａ３となっており、同取っ手７Ａ３に後側から手を掛け入れるための開口部７Ｂ１がベゼル７Ｂのひと回り大きな枠形状によってベゼル７Ｂとの間に形成された構成とされている。ここで、開口部７Ｂ１が本発明の「手が掛けられる領域」に相当する。
【００４２】
上述した操作レバー７Ａは、その操作前の常時は、上述したベゼル７Ｂとの間に掛着された不図示のバネにより、上述した初期位置の状態に保持されている。上記保持により、操作レバー７Ａは、シートクッション３がフロアＦ上の使用位置に倒し込まれた状態とされている時には、シートクッション３の底面部から垂れ下がる方向に重力作用が掛けられていても、上記ベゼル７Ｂの四角枠内に面一状に収められた初期位置の状態として保持されるようになっている。
【００４３】
上記操作レバー７Ａは、上述した初期位置の状態から、使用者がシート１の左側の図示しない車両の乗降ドア側に立った位置などからシートクッション３の下側に手を伸ばして、上述したベゼル７Ｂの開口部７Ｂ１から操作レバー７Ａの取っ手７Ａ３に手を掛け入れるなどして、同取っ手７Ａ３を前下側に押し下げるように力を掛けることにより、上記のようにヒンジ軸７Ａ１を中心に前側へ押し回されるように操作される。この操作により、図６〜図７において前述したように、操作レバー７Ａに繋がれたケーブル７Ａ２を介して上述したチップアップ機構５のロック状態が解除されるようになっている。
【００４４】
上述した操作レバー７Ａは、その操作された力が取り除かれることにより、上述した不図示のバネの付勢力によって、操作前の初期位置の状態へと戻されるようになっている。上述した操作レバー７Ａは、図２に示すようにシートクッション３が跳上位置へと跳ね上げられても、上述したレッグ６がシートクッション３の底面部から起立状に張り出した展開位置の状態として保持されている間は、シートクッション３の底面部に前側に向かって露出した状態として保持されるようになっている。したがって、上記操作レバー７Ａは、上述した展開状態のレッグ６によってその操作が阻害されることなく、使用者によって操作レバー７Ａの位置を視覚的に簡単に認識して操作することができる状態として保持されることとなる。
【００４５】
しかし、上述した操作レバー７Ａは、図３及び図４に示すように、上述したシートクッション３の跳ね上げ後にレッグ６が凹部３Ａ内の収納位置へと折り畳まれることにより、同レッグ６の左側領域によって開口部７Ｂ１と共に前側から完全に覆われてしまい、操作レバー７Ａに手を掛けて操作することがスペース的に難しい状態であることを使用者に対して視覚的に認識させられる状態へと切り換えられるようになっている。
【００４６】
すなわち、上記レッグ６が折り畳まれることにより、操作部材７は、そのベゼル７Ｂの一部領域（非被覆領域Ａ２）がレッグ６からはみ出した状態に露出して、使用者に対して操作部材７のある位置を視覚的に認識させることができるようになっている。しかし、上記操作部材７は、その大部分の領域（被覆領域Ａ１）がレッグ６によって前側から覆われていて、操作レバー７Ａの操作が行えない状態となっていることから、使用者に対して先ずレッグ６の展開操作を行わなければ操作レバー７Ａの操作を行うことができない状態であることを認識させることができるようになっている。したがって、上記構成によって、レッグ６の展開操作を行う前に操作レバー７Ａが操作されてしまうことを適切に防止することができる。
【００４７】
《まとめ》
以上をまとめると、本実施例のシート１は次のような構成とされている。すなわち、シート本体（シートクッション３）をフロア（フロアＦ）上から跳ね上げてロックすることのできる跳ね上げ機構（チップアップ機構５）を備えた乗物用シート（シート１）であって、シート本体（シートクッション３）に折り畳み可能に設けられてその展開状態でフロア（フロアＦ）上に当てられてシート本体（シートクッション３）を支えた状態となるレッグ（レッグ６）と、シート本体（シートクッション３）の跳ね上げ位置でのロックを解除するための操作部材（操作部材７）と、を有し、レッグ（レッグ６）がシート本体（シートクッション３）に折り畳まれることで操作部材（操作部材７）を覆った状態となる構成とされているものである。
【００４８】
このように、シート本体（シートクッション３）の跳ね上げ位置でのロックを解除する操作部材（操作部材７）が、折り畳まれたレッグ（レッグ６）によって覆われるようになっていることで、レッグ（レッグ６）を展開することなく操作部材（操作部材７）が先に誤って操作されることが防止されるようになる。したがって、レッグ（レッグ６）の展開し忘れを適切に防止することができる。
【００４９】
また、レッグ（レッグ６）が操作部材（操作部材７）の手が掛けられる領域（開口部７Ｂ１）を覆う構成とされている。このような構成とされていることにより、操作部材（操作部材７）に手を掛ける動きがレッグ（レッグ６）によって阻まれるようになるため、レッグ（レッグ６）の展開し忘れをより適切に防止することができる。
【００５０】
また、操作部材（操作部材７）がシート本体（シートクッション３）に折り畳まれたレッグ（レッグ６）によって覆われる被覆領域（被覆領域Ａ１）と覆われずに外部に露出する非被覆領域（非被覆領域Ａ２）とを有する。このような構成とされていることにより、操作部材（操作部材７）がレッグ（レッグ６）によって覆われている状態を、レッグ（レッグ６）の非被覆領域（非被覆領域Ａ２）が外部に露出している状態によってより簡便に認識できるようになるため、レッグ（レッグ６）の展開し忘れをより適切に防止することができる。
【００５１】
また、レッグ（レッグ６）がシート本体（シートクッション３）に折り畳まれるヒンジ軸（ヒンジ軸６Ｂ）の軸方向の端領域（左側領域）で操作部材（操作部材７）を覆う構成とされている。このような構成とされていることにより、レッグ（レッグ６）を折り畳む際に掴まれることの少ない端領域で操作部材（操作部材７）を覆うことで、レッグ（レッグ６）を折り畳む際にレッグ（レッグ６）と操作部材（操作部材７）との間に手を挟みにくくなるようにすることができる。
【００５２】
また、操作部材（操作部材７）がシート本体（シートクッション３）に折り畳まれたレッグ（レッグ６）に向かって張り出す形に操作される構成とされている。レッグ（レッグ６）が操作部材（操作部材７）の操作される移動軌跡と重なる位置（凹部３Ａ内に収められる位置）までシート本体（シートクッション３）に折り畳まれる構成とされている。このような構成とされていることにより、折り畳まれたレッグ（レッグ６）によって操作部材（操作部材７）の操作を行いにくくなるように規制することができる。或いは、操作部材（操作部材７）を操作方向に動かすことでレッグ（レッグ６）を展開方向に押し動かして、レッグ（レッグ６）を先に展開させるべきことを操作者に認識させやすくすることができる。
【００５３】
以上、本発明の実施形態を１つの実施例を用いて説明したが、本発明は上記実施例のほか各種の形態で実施することができるものである。例えば、本発明の乗物用シートの構成は、鉄道等の自動車以外の車両や、航空機、船舶等の様々な乗物用に供されるシートにも広く適用することができるものである。
【００５４】
また、シート本体をフロア上から跳ね上げてロックすることのできる跳ね上げ機構は、シートクッションを後側へ跳ね上げるチップアップ機構の他、様々な跳ね上げタイプの機構にも適用することができるものである。具体的には、シート全体を側方に跳ね上げて荷室を拡大させるスペースアップシートや、シートバックを前倒しした状態でシート全体を前方に跳ね上げて荷室や乗降スペースを拡大させるタンブルシートや、シートクッションを前方に引き起こしてその空いたスペースにシートバックを前倒しするダブルフォールディングシート等の、各種の跳ね上げを伴う機構が挙げられる。
【００５５】
また、レッグは、板状の構造に限らず、棒状その他の異形状の構造から成るものであってもよい。また、操作部材は、回転操作式の他、スライド操作式や押込み操作式の構造から成るものであってもよく、その操作方向も特に限定されるものではない。また、上記レッグが折り畳まれた時に操作部材を覆う態様は、操作部材全体を視覚的に完全に覆うものの他、操作部材を視覚的には完全に覆わないもしくは全く覆わないが操作部材の操作を機械的に阻害できるように干渉する状態に覆うものや、操作部材を視覚的には完全に覆うもしくは一部のみ覆うが操作部材の操作を機械的に阻害することなく許容する状態に覆うものであってもよい。また、レッグは、そのどの領域で操作部材を覆うようになっていてもよい。また、シート本体のレッグが折り畳まれる領域は、必ずしもレッグを内部に収納するような凹部形状となっていなくてもよく、単に一般面上にレッグが折り畳まれるようになっているものであってもよい。
【符号の説明】
【００５６】
１      シート（乗物用シート）
２      シートバック
３      シートクッション（シート本体）
３Ａ    凹部
４      ベースブラケット
４Ａ    第１係止溝
４Ｂ    第２係止溝
５      チップアップ機構（跳ね上げ機構）
５Ａ    ヒンジ軸
５Ｂ    操作リンク
５Ｂ１  ヒンジ軸
５Ｂ２  ロックピン
５Ｂ３  引張バネ
６      レッグ
６Ａ    レッグフレーム
６Ｂ    ヒンジ軸
６Ｃ    レッグカバー
６Ｄ    引張バネ
７      操作部材
７Ａ    操作レバー
７Ａ１  ヒンジ軸
７Ａ２  ケーブル
７Ａ３  取っ手
７Ｂ    ベゼル
７Ｂ１  開口部（手が掛けられる領域）
Ｆ      フロア
Ａ１    被覆領域
Ａ２    非被覆領域
【図１】
2018090142.tif 000003
【図２】
2018090142.tif 000004
【図３】
2018090142.tif 000005
【図４】
2018090142.tif 000006
【図５】
2018090142.tif 000007
【図６】
2018090142.tif 000008
【図７】
2018090142.tif 000009
【図８】
2018090142.tif 000010